(57)【要約】【課題】遊技機で発生した不正行為を早期かつ確実に発見する。【解決手段】遊技機１の特定部分Ａの移動が、移動検出センサ１１で検出されると、検出信号が、センサ制御手段１２を介して異常発生判別手段１３へ送られる。異常発生判別手段１３において、検出信号にもとづき、遊技機１で異常が発生したか否か（不正行為が行われたか否か）が判断される。判断の結果、異常が発生したときは、報知手段１４へ動作制御信号が送られて、異常が発生した旨が報知される。また、異常発生信号が、異常発生判別手段１３から信号送信手段１５へ送られ、さらに、ホールコンピュータ等へ送信される。【選択図】　　　図２
2004073456.tif 000002
【特許請求の範囲】
【請求項１】
遊技機の特定部分が移動したか否か、及び／又は前記特定部分との間で物体が移動したか否か、を検出する移動検出センサと、
この移動検出センサから検出信号を受け取るセンサ制御手段と、
このセンサ制御手段からの前記検出信号にもとづいて、前記異常が発生したか否かを判断し、前記異常が発生したときに所定の報知手段を動作させる異常発生判別手段と
を有する内部異常状態検出装置を備えるとともに、
前記異常発生判別手段が、
前記センサ制御手段からの前記検出信号にもとづいて、前記異常が発生したか否かを判断する異常発生判断部と、
この異常発生判断部からの異常発生信号にもとづいて、前記所定の報知手段の動作制御を実行する報知制御部と、
前記異常発生判断部から送出されてきた異常発生信号を入力するとともに、この異常発生信号が前記異常の発生以外の理由で送出されたものか否かを判断し、かつ、この判断の結果にもとづいて、前記異常発生判断部から前記報知制御部への前記異常発生信号の送出を実行又は停止する誤動作判断部とを有した
ことを特徴とする遊技機。
【請求項２】
前記内部異常状態検出装置が、
前記異常発生判別手段からの前記異常発生信号をホールコンピュータへ送信する信号送信手段を有し、
前記異常発生判別手段の前記誤動作判断部が、
前記異常発生判断部から前記異常発生信号を入力するとともに、この異常発生信号が前記異常の発生以外の理由で送出されたものか否かを判断し、かつ、この判断の結果にもとづいて、前記異常発生判断部から前記信号送信手段への前記異常発生信号の送出を実行又は停止する
ことを特徴とする請求項１記載の遊技機。
【請求項３】
前記誤動作判断部が、
前記異常発生判断部から前記異常発生信号を受け取る信号出力回路と、
現在時刻を計時するタイマ回路と、
設定時間を記憶する記憶回路と、
前記信号出力回路から前記異常発生信号を受け取るとともに、前記記憶回路から前記設定時間を取り出し、かつ、この取り出した設定時間と前記異常発生信号の発生時間とを、前記タイマ回路からの前記現在時刻を用いて比較するノイズ判別回路と、
このノイズ判別回路からの出力許否信号にもとづいて、前記信号出力回路から前記報知制御部への前記異常発生信号の送出を実行又は停止する出力制御回路とを有した
ことを特徴とする請求項１又は２記載の遊技機。
【請求項４】
前記出力制御回路が、
前記ノイズ判別回路からの出力許否信号にもとづいて、前記信号出力回路から前記信号送信手段への前記異常発生信号の送出を実行又は停止する
ことを特徴とする請求項３記載の遊技機。
【請求項５】
前記誤動作判断部が、
遊技媒体の自動補給が実行されているか否かを判断する自動補給処理実行判断回路と、
この自動補給処理実行判断回路からの処理検出信号が前記自動補給の実行中であることを示すときに、前記異常発生判断部から前記報知制御部及び／又は前記信号送信手段への前記異常発生信号の送出を停止するミュート回路とを有した
ことを特徴とする請求項１，２，３又は４記載の遊技機。
【請求項６】
前記遊技機が、
前記遊技媒体を蓄えるホッパと、
このホッパへ自動補給された前記遊技媒体を検出する自動補給センサとを有し、
前記自動補給処理実行判断回路が、
前記自動補給センサからの自動補給検出信号にもとづいて、前記遊技媒体の自動補給が実行されているか否かを判断する
ことを特徴とする請求項５記載の遊技機。
【請求項７】
前記報知手段が、表示灯及び／又は報知音声発生器からなる
ことを特徴とする請求項１〜６のいずれかに記載の遊技機。
【請求項８】
前記内部異常状態検出装置が、前記遊技機の筐体内部に設けられ、
前記特定部分が、前記遊技機のドアからなる
ことを特徴とする請求項１〜７のいずれかに記載の遊技機。
【発明の詳細な説明】
【０００１】
【発明の属する技術分野】
本発明は、不正行為の検出手段を備えた遊技機に関する。
【０００２】
【従来の技術】
一般に、遊技ホールには、パチンコ台やスロットマシン等に代表される遊技機が多数設置されている。
その遊技機において、遊技客が複数回ゲームを行うと、所定の確率でそのゲームが入賞し、この入賞の内容に応じた数量の遊技媒体が払い出される。これにより、遊技客は、その払い出された遊技媒体の数量に応じて、この遊技媒体と希望する景品とを交換することができる。
【０００３】
ところで、その遊技ホールにおいては、不正行為者が、営業時間中あるいは時間外に、遊技客やホール従業員等になりすまし、遊技機のドアを不正に開け、特殊な道具を挿入するなどして遊技媒体を盗み出すといった被害が発生している。
こうした不正行為を発見する方法としては、たとえば、遊技ホール内を巡回して遊技機の外観の変化を見つける方法（巡回方法）や、ホールコンピュータのデータにもとづいて判断する方法（データ解析方法）などがある。
【０００４】
これらのうち、巡回方法によれば、ホール従業員が遊技ホール内を巡回することで、許可を受けていない者が不正にドアを開けて何らかの行為を行っているところを直接見つけ出すことができる。
また、データ解析方法によれば、各遊技機から収集された遊技データを集計し、この集計の結果からデータの不一致や過剰な誤差などを抽出することで、不正行為の発生を見つけ出すことができる。
【０００５】
【発明が解決しようとする課題】
しかしながら、上記の巡回方法を行った場合には、その不正行為が、ホール従業員の目を盗みながら、複数人が連携をとりあって行われるものであるため、その発見が困難であった。
また、不正行為後の遊技機には、その痕跡が残らないため、ホール従業員は、巡回方法によっては、遊技機の外観を見渡して事後的に発見することもできないという問題があった。
【０００６】
一方、データ解析方法を用いた場合には、データの誤差や不一致を発見することは可能であるものの、不正行為の発生していない通常の業務状態においても若干の誤差等は生じるため、その生じた誤差等が、果たして不正行為によるものなのかあるいは他の理由によるものなのかを判断することが困難であった。
【０００７】
さらに、このデータ解析方法は、不正行為を事後的に発見するものであるため、発生現場を取り押さえたり、不正行為者を特定することはできないという問題もあった。
本発明は、上記の問題を解決すべくなされたものであり、遊技機で発生した不正行為を、早期かつ確実に発見可能とする遊技機の提供を目的とする。
【０００８】
【課題を解決するための手段】
この目的を達成するため、本発明の請求項１記載の遊技機は、遊技機の特定部分が移動したか否か、及び／又は特定部分との間で物体が移動したか否か、を検出する移動検出センサと、この移動検出センサから検出信号を受け取るセンサ制御手段と、このセンサ制御手段からの検出信号にもとづいて、異常が発生したか否かを判断し、異常が発生したときに所定の報知手段を動作させる異常発生判別手段とを有する内部異常状態検出装置を備えるとともに、異常発生判別手段が、センサ制御手段からの検出信号にもとづいて、異常が発生したか否かを判断する異常発生判断部と、この異常発生判断部からの異常発生信号にもとづいて、所定の報知手段の動作制御を実行する報知制御部と、異常発生判断部から送出されてきた異常発生信号を入力するとともに、この異常発生信号が異常の発生以外の理由で送出されたものか否かを判断し、かつ、この判断の結果にもとづいて、異常発生判断部から報知制御部への異常発生信号の送出を実行又は停止する誤動作判断部とを有した構成としてある。
【０００９】
遊技機をこのような構成とすると、内部異常状態検出装置は、遊技機の特定部分が移動したり、その特定部分と移動検出センサとの間に物体が移動したときには、不正行為が発生したものと判断して報知手段を動作させることができる。
このため、特定部分を遊技機のドアとした場合には、内部異常状態検出装置は、そのドアが開閉されることにより、不正行為が発生したものと判断することができる。また、特定部分と移動検出センサとの間に、たとえば、不正行為用の特殊な道具などが通過したときにも、不正行為が発生したものと判断することができる。
【００１０】
そして、内部異常状態検出装置は、不正行為が発生したものと判断すると、即座に報知手段を動作させるため、ホール従業員は、発生した不正行為を早期かつ確実に知ることができる。
これにより、ホール従業員は、不正行為への即時対応が可能となり、さらに、遊技機においては、内部異常状態検出装置の搭載が知られることで、その後の不正行為を防止することもできる。
【００１１】
さらに、内部異常状態検出装置は、誤動作判断部を有することで、異常発生信号が遊技機内の他の装置から出力されたノイズにもとづくものであると判断すると、その異常発生信号を、信号送信手段や報知制御部へ送出しないようにすることができる。
【００１２】
遊技機内の他の装置から出力されるノイズは、その性質上、周期が短いものがほとんどである。
このため、誤動作判断部は、所定時間内に発生時間が終了する異常発生信号については、そのノイズにもとづいて生成されたもの（つまり、不正行為の発生にもとづいて生成されたのでないもの）と判断して、その異常発生信号を、信号送信手段や報知制御部へ送出しないようにすることができる。
【００１３】
また、請求項２記載の遊技機は、内部異常状態検出装置が、異常発生判別手段からの異常発生信号をホールコンピュータへ送信する信号送信手段を有し、異常発生判別手段の誤動作判断部が、異常発生判断部から異常発生信号を入力するとともに、この異常発生信号が異常の発生以外の理由で送出されたものか否かを判断し、かつ、この判断の結果にもとづいて、異常発生判断部から信号送信手段への異常発生信号の送出を実行又は停止する構成としてある。
【００１４】
遊技機をこのような構成とすれば、不正行為が発生した旨を、遊技機からホールコンピュータへ伝達することができる。
このため、ホールコンピュータは、各遊技機における不正行為の発生状況を管理・分析等することができる。
【００１５】
つまり、ホールコンピュータにおいては、たとえば、各遊技機で発生した不正行為に関するデータを蓄積・保存したり、ホールコンピュータの周囲にいる者へ、不正行為の発生を報知したり、さらには、不正行為の発生状況（たとえば、発生頻度等）を統計的に集計・分析したりすることができる。
そして、内部異常状態検出装置は、誤動作判断部を有することにより、誤動作で異常発生信号をホールコンピュータへ送信することを未然に防ぐことができる。
【００１６】
また、請求項３記載の遊技機は、誤動作判断部が、異常発生判断部から異常発生信号を受け取る信号出力回路と、現在時刻を計時するタイマ回路と、設定時間を記憶する記憶回路と、信号出力回路から異常発生信号を受け取るとともに、記憶回路から設定時間を取り出し、かつ、この取り出した設定時間と異常発生信号の発生時間とを、タイマ回路からの現在時刻を用いて比較するノイズ判別回路と、このノイズ判別回路からの出力許否信号にもとづいて、信号出力回路から報知制御部への異常発生信号の送出を実行又は停止する出力制御回路とを有した構成としてある。
【００１７】
遊技機をこのような構成とすると、誤動作判断部は、ノイズの発生にもとづいて送出されてきた異常発生信号を、報知制御部へ送出しないようにすることができる。
このため、遊技機内で異常が発生していないのに報知手段が動作するといった誤動作を防止できる。
【００１８】
また、請求項４記載の遊技機は、出力制御回路が、ノイズ判別回路からの出力許否信号にもとづいて、信号出力回路から信号送信手段への異常発生信号の送出を実行又は停止する構成としてある。
遊技機をこのような構成とすれば、ノイズの発生にもとづく異常発生信号を、ホールコンピュータ等へ送信しないようにすることができる。これにより、ホールコンピュータが、遊技機内で異常が発生したものと誤認識することを防止できる。
【００１９】
また、請求項５記載の遊技機は、誤動作判断部が、遊技媒体の自動補給が実行されているか否かを判断する自動補給処理実行判断回路と、この自動補給処理実行判断回路からの処理検出信号が自動補給の実行中であることを示すときに、異常発生判断部から報知制御部及び／又は信号送信手段への異常発生信号の送出を停止するミュート回路とを有した構成としてある。
【００２０】
遊技機をこのような構成とすると、自動補給処理時においては、信号送信手段や報知制御部への異常発生信号の送出を停止することができる。
自動補給処理時に発生するノイズは、通常、周期が長い。このため、ノイズ判別回路は、異常発生信号がそのノイズのもとづいて送出されたものか否かを判断することができない。
【００２１】
これにより、そのノイズにもとづく異常発生信号は、信号送信手段や報知制御部へ送られてしまう。
そうすると、不正行為が発生していないのに、報知手段が動作したり、ホールコンピュータで不正行為が発生したものと認識されるといった誤動作や誤認識が生じてしまう。
【００２２】
そこで、内部異常状態検出装置に自動補給処理実行判断回路及びミュート回路を設けることにより、自動補給処理の実行中においては、信号出力回路から信号送信手段や報知制御部への異常発生信号の送出が強制的に停止（ミュート）されるため、報知手段の誤動作やホールコンピュータにおける誤認識を回避できる。
【００２３】
また、請求項６記載の遊技機は、遊技機が、遊技媒体を蓄えるホッパと、このホッパへ自動補給された遊技媒体を検出する自動補給センサとを有し、自動補給処理実行判断回路が、自動補給センサからの自動補給検出信号にもとづいて、遊技媒体の自動補給が実行されているか否かを判断する構成としてある。
遊技機をこのような構成とすれば、自動補給処理実行判断回路は、遊技媒体の自動補給が現在実行中か否かを確実に判断できる。
【００２４】
また、請求項７記載の遊技機は、報知手段が、表示灯及び／又は報知音声発生器からなる構成としてある。
遊技機をこのような構成とすると、ホール従業員は、その報知手段が動作したことを容易に知得でき、これにより、不正行為が発生したことを早期に発見できる。
【００２５】
さらに、報知手段は、不正行為が発生すると、遊技機内で動作するため、不正行為者に対しても直接報知することができる。これにより、不正行為者は、自身の存在や行為が発覚したものとして、その不正行為を中止せざるを得なくなる。
したがって、内部異常状態検出装置に報知手段を設けることにより、不正行為の続行を阻止し、かつ、その発生を防止することができる。
【００２６】
また、請求項８記載の遊技機は、内部異常状態検出装置が、遊技機の筐体内部に設けられ、特定部分が、遊技機のドアからなる構成としてある。
遊技機をこのような構成とすると、内部異常状態検出装置は、ドアの開閉を検出すると、遊技機で異常が発生したものとして、報知手段を動作させることができる。これにより、ホール従業員は、異常の発生を早期に発見できる。
【００２７】
【発明の実施の形態】
以下、本発明の実施の形態について、図面を参照して説明する。
まず、本発明の遊技機の実施形態について、図１を参照して説明する。
同図は、本実施形態の遊技機の内部構成を示す斜視図である。
同図に示すように、遊技機１は、ドア２と、筐体３と、開閉機構４と、ホッパ装置５と、制御装置６と、内部異常状態検出装置１０を有している。
【００２８】
ここで、ドア２は、遊技機１の前面に位置しており、筐体３とは開閉機構４を介して開閉可能に取り付けられている。
ホッパ装置５は、遊技媒体を貯めておく装置であり、制御装置６は、遊技機１の構成各部を動作制御する。
【００２９】
なお、図１は、遊技機１に含まれるスロットマシンについての内部構成を示すものである。
ただし、同じ遊技機１に含まれるパチンコ台についても、ドア２と、筐体３と、開閉機構４と、ホッパ装置５と、制御装置６とを有しており、内部異常状態検出装置１０を設けることができる。
【００３０】
内部異常状態検出装置１０は、図２に示すように、移動検出センサ１１と、センサ制御手段１２と、異常発生判別手段１３と、報知手段１４と、信号送信手段１５とを有している。
移動検出センサ１１は、遊技機１の特定部分Ａの移動や、特定部分Ａとの間における物体の移動を検出するセンサである。
【００３１】
遊技機１の特定部分Ａとしては、ドア２，筐体３，ホッパ装置５，制御装置６などがある。
ただし、遊技機１の内部で不正行為が行われる場合は、必ずドア２が開かれるため、このドア２を特定部分Ａとすることが望ましい。
なお、特定部分Ａの移動には、特定部分Ａの位置の移動，回転，落下，上昇，通過などが含まれる。
【００３２】
センサ制御手段１２は、移動検出センサ１１の動作を制御するとともに、この移動検出センサ１１からの検出信号を異常発生判別手段１３へ送る。
これら移動検出センサ１１及びセンサ制御手段１２は、具体的には、次のような構成とすることができる。
【００３３】
たとえば、図３に示すように、移動検出センサ１１として、超音波スピーカ部１１−１と超音波マイク部１１−２とを設け、センサ制御手段１２として、超音波送受信機１２−１を設けた構成とすることができる。
超音波スピーカ部１１−１は、超音波送受信機１２−１の制御により、超音波を遊技機１の特定部分Ａへ送波する。
【００３４】
超音波マイク部１１−２は、特定部分Ａで反射された超音波（反射波）を受波して、超音波送受信機１２−１へ送る。
これら超音波スピーカ部１１−１及び超音波マイク部１１−２には、圧電材料（たとえば、圧電セラミック等）を利用した超音波送受波素子（たとえば、バイモルフ型やユニモルフ型素子等）を用いることができる。
【００３５】
超音波送受信機１２−１は、図４に示すように、発振回路１２−１１と、変調回路１２−１２と、ドライバ１２−１３と、増幅回路１２−１４と、波形整形回路１２−１５と、カウンタ１２−１６とを有している。
発振回路１２−１１は、所定の周波数を有する信号（発信信号）を生成する回路であって、たとえば、コンデンサの放電を利用し、ゲートと組み合わせた構成とすることができる。
【００３６】
変調回路１２−１２は、発振回路１２−１１からの発信信号を断続送信波に変調する。
ドライバ１２−１３は、その変調された発信信号を超音波スピーカ１１−１へ送り、超音波を出力させる。
増幅回路１２−１４は、超音波マイク１１−２からの反射波を増幅する。
【００３７】
波形整形回路１２−１５は、その増幅された反射波を２値化可能なように整形する。
カウンタ１２−１６は、波形整形回路１２−１５からの反射波と、変調回路１２−１２からの発信信号とを比較して、超音波スピーカ部１１−１における送波から超音波マイク部１１−２における受波までの経過時間を求める。
【００３８】
なお、異常発生判別手段１３における異常発生の判別に超音波の経過時間を用いないときは、カウンタ１２−１６に代えて、反射波の振幅強度等を示す検出信号を異常発生判別手段１３へ送る検出信号送出部（図示せず）を設けることもできる。
【００３９】
また、移動検出センサ１１とセンサ制御手段１２とは、図５に示すように、それぞれ超音波スピーカマイク１１−３と超音波送受波機１２−２とにより構成することができる。
超音波スピーカマイク１１−３は、一つの素子で、超音波スピーカと超音波マイクとの両方の機能（超音波を送波する機能と受波する機能）を有している。移動検出センサ１１に超音波スピーカマイク１１−３を設けることで、超音波スピーカと超音波マイクとを別構成とすることに比べ小型軽量化を図ることができる。
【００４０】
超音波送受波機１２−２は、超音波送受信機１２−１とほぼ同様の構成を有している。
ただし、超音波送受波機１２−２は、超音波スピーカマイク１１−３の機能の切り替え（超音波を送波する機能と受波する機能との切り替え）を行うはたらきを有している点で、超音波送受信機１２−１と相違する。
【００４１】
さらに、移動検出センサ１１は、図６に示すように、発光部１１−４と受光部１１−５とで構成し、センサ制御手段１２は、光制御部１２−３で構成することができる。
発光部１１−４は、発光ダイオードやレーザ光発振器等で構成することができ、所定の光量を有した検出光を遊技機１の特定部分Ａへ照射する。
受光部１１−５は、光導電素子や光起電力素子等で構成することができ、特定部分Ａで反射された検出光（反射光）を受光すると、この反射光の光量等に応じた量を有する検出信号を光制御部１２−３へ送る。
【００４２】
なお、移動検出センサ１１は、発光部１１−４と受光部１１−５とを有したフォトカプラ（図示せず）等で構成することもできる。
このフォトカプラは、発光部１１−４からの検出光が特定部分Ａを介さず直接受光部１１−５へ照射される構造をもって、発光部と受光部との間における物体の移動を検出する。このような構造を有するセンサを、移動検出センサ１１として用いる場合は、受光部１１−５における検出光の受光を遮るような構造を有した遮蔽部材（図示せず）を特定部分Ａ等に付設しておく。
【００４３】
受光部１１−５から出力される検出信号は、この受光部１１−５として用いられる素子の種類により、その性質が異なる。
たとえば、受光部１１−５が光導電素子の場合、検出信号は、その光導電素子を流れる電流からなり、この電流値は、光導電素子の受光量に比例する。また、受光部１１−５が光起電力素子の場合、検出信号は、その光起電力素子で発生する起電力からなり、この起電力の値は、光導電素子の受光量に比例する。
【００４４】
移動検出センサ１１として発光部１１−４及び受光部１１−５を用いることにより、受光部１１−５がその受光量に対応した値を示す検出信号を出力するため、異常発生判別手段１３は、そのパラメータの示す値にもとづいて、遊技機１で異常が発生したか否かを判断することができる。
【００４５】
光制御部１２−３は、発光部１１−４に検出光を発光させる機能と、受光部１１−５からの検出信号を受け取る機能と、この検出信号を、異常発生判別手段１３へ送る機能とを有している。
なお、異常発生判別手段１３へ送られる検出信号は、この光制御部１２−３において、予め増幅や波形整形等をしておくことができる。
【００４６】
異常発生判別手段１３は、センサ制御手段１２からの検出信号にもとづいて、遊技機１の特定部分Ａが移動したか否か、あるいは、特定部分Ａと移動検出センサ１１との間で物体が移動したか否かを判断する。
そして、特定部分Ａや物体の移動があったときは、遊技機１に異常が発生したものと判断して、報知手段１４を動作させ、さらに異常発生信号を信号送信手段１５へ送る。
【００４７】
この異常発生判別手段１３は、図７に示すように、異常発生判断部１３−１と、誤動作判断部１３−２と、報知制御部１３−３とを有している。
異常発生判断部１３−１は、センサ制御手段１２からの検出信号にもとづいて、遊技機１の特定部分Ａが移動したか否か、あるいは、特定部分Ａと移動検出センサ１１との間で物体が移動したか否かを判断する。そして、特定部分Ａや物体の移動があったときは、遊技機１に異常が発生したものと判断して、誤動作判断部１３−２へ異常発生信号を送る。
【００４８】
この異常発生判断部１３−１における判断手法の具体例としては、次のようなものがある。
たとえば、検出信号が、超音波送受信機１２−１や超音波送受波機１２−２からの反射波であるときは、カウンタ１２−１６で求められた経過時間と所定の閾値とを比較する。そして、経過時間が閾値を超過しているときは、特定部分Ａや物体が移動したもの、すなわち、遊技機１で異常が発生したもの判断する。
【００４９】
また、たとえば、検出信号が、光制御部１２−３からの検出信号であるときは、この検出信号の電流あるいは起電力の値と所定の閾値とを比較する。そして、検出信号の電流あるいは起電力の値が所定の閾値よりも小さい値を示しているときは、遊技機１の特定部分Ａや物体が移動したもの、すなわち、遊技機１で異常が発生したもの判断する。
【００５０】
誤動作判断部１３−２は、異常発生判断部１３−１から送出されてきた異常発生信号を入力するとともに、この異常発生信号が異常の発生以外の理由で送出されたものか否かを判断し、かつ、この判断の結果にもとづいて、異常発生判断部１３−１から報知制御部１３−３への異常発生信号の送出を実行又は停止する。
【００５１】
この誤動作判断部１３−２は、図８に示すように、信号出力回路１３−２１と、タイマ回路１３−２２と、記憶回路１３−２３と、ノイズ判別回路１３−２４と、出力制御回路１３−２５とを有した構成とすることができる。
信号出力回路１３−２１は、異常発生判断部１３−１からの異常発生信号を、ノイズ判別回路１３−２４及び出力制御回路１３−２５へ送る。
【００５２】
タイマ回路１３−２２は、現在の時刻を計時してノイズ判別回路１３−２４へ送る。
記憶回路１３−２３は、判別閾時間を記憶する。判別閾時間とは、異常発生信号がノイズの発生にもとづいて生成されたものか否かを判断する際に用いられる異常発生信号の発生時間の閾値をいう。
【００５３】
ノイズ判別回路１３−２４は、信号出力回路１３−２１からの異常発生信号が、遊技機１内の他の装置から出力されたノイズにもとづいて送出されたものか否かを判別する。
この判別は、遊技機１内の他の装置で発生したノイズが、その性格上、周期の短いものが多いという特性を利用して行われる。
【００５４】
この判別の方法は、次のような方法で行うことができる。
ノイズ判別回路１３−２４においては、タイマ回路１３−２２からの現在時刻が随時受信されている。
ノイズ判別回路１３−２４は、信号出力回路１３−２１から異常発生信号を受けると、記憶回路１３−２３から判別閾時間を取り出す。そして、タイマ回路１３−２２からの現在時刻を用いて、その異常発生信号の発生時間を計測しながら、この発生時間と判別閾時間とを比較判断する。
【００５５】
比較判断の結果、異常発生信号の発生時間が判別閾時間よりも長いときは、ノイズ判別回路１３−２４は、その異常発生信号が遊技機１内の他の装置から発生したノイズにもとづいて送出されたものではない、すなわち、遊技機１に異常が発生したものと判断する。そして、この判断結果を示す出力許否信号を出力制御回路１３−２５へ送る。
【００５６】
一方、異常発生信号の発生時間が判別閾時間より短いときは、ノイズ判別回路１３−２４は、この異常発生信号が、遊技機１内の他の装置から発生したノイズにもとづいて送出されたものであると判断する。そして、この判断結果を示す出力許否信号を出力制御回路１３−２５へ送る。
【００５７】
なお、ノイズ判別回路１３−２４は、信号出力回路１３−２１から異常発生信号を受けていないときは、出力制御回路１３−２５への出力許否信号の送出は行わない。
また、これら信号出力回路１３−２１、タイマ回路１３−２２、記憶回路１３−２３、ノイズ判別回路１３−２４及び出力制御回路１３−２５は、遊技機１内の各種ノイズに作用されない構造を有した回路である。
【００５８】
出力制御回路１３−２５は、ノイズ判別回路１３−２４からの出力許否信号にもとづいて、信号出力回路１３−２１から信号送信手段１５及び報知制御部１３−３への異常発生信号の送出（すなわち、異常発生判断部１３−１から信号送出手段１５及び報知制御部１３−３への異常発生信号の送出）を実行又は停止する。
【００５９】
具体的には、出力制御回路１３−２５は、出力許否信号が、異常発生信号の発生時間の方が判別閾時間よりも長い旨を示すときは、異常発生信号の送出を実行する。
一方、出力許否信号が、異常発生信号の発生時間の方が判別閾時間よりも短い旨を示すときは、異常発生信号の送出を停止する。
【００６０】
このような構成を有する誤動作判断部１３−２を、異常発生判別手段１３に設ける理由は、次による。
異常発生判断部１３−１は、異常発生信号を信号出力回路１３−２１へ送る。
この異常発生判断部１３−１が異常発生信号を出力する場合とは、理想的には、センサ制御手段１２からの検出信号に変化が生じた場合（つまり、検出信号を変化させるような不正行為が発生した場合）をいう。
【００６１】
しかし、実際には、検出信号に変化が生じた場合にのみ異常発生信号が出力されるわけではなく、たとえば、移動検出センサ１１、センサ制御手段１２あるいは異常発生判別手段１３の内部又はその前後において、捕獲されたノイズにもとづいて、異常発生信号が生成され出力されることがある。
【００６２】
この異常発生信号の生成原因の一つとなるノイズは、その多くが、遊技機１の内部に設置された各装置を発生源とするものであって、不正行為の発生にもとづくものではない。
このため、異常発生判断部１３−１は、本来、遊技機１で異常が発生したときにのみ異常発生信号を出力すべきところ、異常が発生していなくても、ノイズの発生を原因として異常発生信号を出力することがあった。そして、この異常発生信号の出力により、報知手段１４が誤作動したり、あるいは、誤った異常発生信号が外部出力されていた。
【００６３】
そこで、異常発生信号を、不正行為の発生にもとづくものと、ノイズの発生にもとづくものとに分け、その異常発生信号の各生成原因ごとに異なる処理を実行すべく、ノイズ判別回路１３−２４や出力制御回路１３−２５等を設けた構成としている。
このような構成により、ノイズの発生により生成された異常発生信号にもとづく誤動作等を防止できる。
【００６４】
また、誤動作判断１３−２は、図９に示すように、信号出力回路１３−２１と、タイマ回路１３−２２と、記憶回路１３−２３と、ノイズ判別回路１３−２４と、出力制御回路１３−２５とに加えて、自動補給処理実行判断回路１３−２６と、ミュート回路１３−２７とを有した構成とすることができる。
【００６５】
自動補給処理実行判断回路１３−２６は、ホッパ５１への遊技媒体の自動補給が実行されていることを検出する。
ホッパ５１への遊技媒体の自動補給は、図１０に示すように、ホッパ５１への遊技媒体の補給口となる自動補給ゲート５２と、この自動補給ゲート５２におけるゲートの開閉を制御するゲート駆動部５３と、自動補給ゲート５２からホッパ５１へ補給される遊技媒体を検出する自動補給センサ５３と、自動補給処理の開始・停止命令をゲート駆動部５３へ発する制御装置６のＣＰＵ６１とを有した構成によって実行される。
【００６６】
そして、自動補給処理実行判断回路１３−２６は、自動補給検出信号を自動補給センサ５４から受けると、処理検出信号をミュート回路１３−２７へ送る。
自動補給検出信号とは、自動補給センサ５４が、自動補給された遊技媒体を検出したときに出力する信号をいう。
【００６７】
ミュート回路３５は、自動補給処理実行判断回路３４から処理検出信号を受けると、出力制御回路１３−２５から信号送出手段１５及び報知制御部１３−３への異常発生信号の送出（すなわち、異常発生判断部１３−１から信号送出手段１５及び報知制御部１３−３への異常発生信号の送出）を停止（ミュート）する。
【００６８】
異常発生判別手段１３に、自動補給処理実行判断回路１３−２６とミュート回路１３−２７とを設けることにより、比較的長時間発生する自動補給時のノイズにもとづく異常発生の誤認を防止できる。
なお、異常発生判別手段１３は、図１１のように、出力制御回路１３−２５やミュート回路１３−２７をそれぞれＡＮＤ回路１３−２５ａやＡＮＤ回路１３−２７ａで構成することができる。
【００６９】
ただし、出力制御回路１３−２５がＡＮＤ回路１３−２５ａで構成される場合、ノイズ判別回路１３−２４から出力される出力許否信号は、パルス信号で構成される。
たとえば、異常発生信号の発生時間が判別閾時間より長いときは、パルス信号は「１」を示す。これにより、信号出力回路１３−２１から出力制御回路１３−２５へ送られてきた異常発生信号は、信号送信手段１５及び報知制御部１３−３へ送られる。
【００７０】
一方、異常発生信号の発生時間が判別閾時間より短いときは、パルス信号は「０」を示す。これにより、信号出力回路１３−２１から出力制御回路１３−２５へ送られてきた異常発生信号は、信号送信手段１５及び報知制御部１３−３へは送られない。
【００７１】
また、ミュート回路１３−２７がＡＮＤ回路１３−２７ａで構成される場合、自動補給処理実行判断回路１３−２６から出力される処理検出信号は、パルス信号で構成される。
たとえば、自動補給処理実行判断回路１３−２６が自動補給センサ５４から自動補給検出信号を受けているときは、パルス信号は「１」を示す。これにより、出力制御回路１３−２５からミュート回路１３−２７へ送られてきた異常発生信号は、信号送信手段１５及び報知制御部１３−３へ送られる。
【００７２】
一方、自動補給処理実行判断回路１３−２６が自動補給センサ５４から自動補給検出信号を受けていないときは、パルス信号は「０」を示す。これにより、出力制御回路１３−２５からミュート回路１３−２７へ送られてきた異常発生信号は、信号送信手段１５及び報知制御部１３−３へは送られない。
【００７３】
報知制御部１３−３は、出力制御回路１３−２５又はミュート回路１３−２７からの異常発生信号にもとづいて、報知手段１４へ動作制御信号を送り動作させる。
報知手段１４は、異常発生判別手段１３からの動作制御信号にもとづいて、外部に対し、遊技機１に異常が発生したことを報知する。
【００７４】
この報知手段１４には、図示しない表示灯や報知音声発生器を用いることができる。
表示灯は、発光ダイオードやパイロットランプなどで構成することができ、異常発生判別手段１３からの動作制御信号にもとづいて点灯する。
この場合、動作制御信号は、点灯時間、点滅周期、点灯光度などを指示内容とすることができる。
【００７５】
報知音声発生器は、図示しない音声生成部とスピーカとで構成されている。
音声生成部は、予め報知音や合成音声等を一又は二以上記憶しており、異常発生判別手段１３からの動作制御信号にもとづいて一又は二以上の報知音等を選択し、この選択した報知音等をスピーカへ送る。
【００７６】
スピーカは、音声生成部からの報知音等を音声出力する。
この場合、動作制御信号は、報知音や合成音声等の指定、音声等出力時間、出力周期、出力音量などを指示内容とすることができる。
なお、報知手段１４には、遊技機１に既存の表示ランプやスピーカを用いることもできる。
【００７７】
この報知手段１４を動作させることにより、ホール従業員や管理者は、その遊技機で不正行為が発生したことを早期に発見できる。
信号送信手段１５は、異常発生判別手段１３からの異常発生信号をホールコンピュータへ送信する。なお、信号送信手段１５は、ホールコンピュータの他に制御装置６などへ異常発生信号を送ることもできる。
【００７８】
次に、本実施形態の内部異常状態検出装置を設置する位置について、図１を参照して説明する。
遊技機１における不正行為のうち、遊技機１の内部に特殊な道具を挿入して不正に遊技媒体を得る行為の場合は、必ずドア２が開かれる。
【００７９】
このため、内部異常状態検出装置１０は、このドア２が開かれたことを検知できる位置とすることが望ましい。この場合、遊技機１の特定部分は、ドア２となる。
このドア２の開閉を検出するために内部異常状態検出装置１０を設置する位置としては、たとえば、図１に示すように、遊技機１の筐体３内部に向かって内側左側面に設けることが望ましい。
【００８０】
ただし、他の装置等のレイアウトを考慮した場合において、遊技機１の筐体３に向かって内側左側面に設けることができないときは、たとえば、内側右側面、内側上面など、筐体３の内部のいずれかの位置に設けることもできる。
なお、遊技機１の特定部分Ａは、ドア２に限るものではなく、たとえば、筐体３、ホッパ装置５、制御装置６などとすることもできる。
【００８１】
次に、本実施形態の内部異常状態検出装置の動作について、図５を参照して説明する。
なお、ここで説明する内部異常状態検出装置１０においては、動作検出センサ１１が超音波スピーカマイク１１−３によって、また、センサ制御手段１２が超音波送受波機１２−２によってそれぞれ構成されており、さらに、異常発生判別手段１３が図９に示す構成（自動補給処理実行判断回路１３−２６及びミュート回路１３−２７を有した構成）であるものとする。
【００８２】
超音波送受波機１２−２で生成された超音波が、超音波スピーカマイク１１−３から出力され、遊技機１の特定部分Ａに照射される。
この特定部分Ａで反射された超音波（反射波）が、超音波スピーカマイク１１−３で受波されて、超音波送受波機１２−２へ送られる。
【００８３】
超音波送受信機１２−２で受け取られた超音波が、増幅され、波形整形され、さらに、超音波スピーカマイク１１−３における送波から受波までの間の経過時間が計測される。
そして、反射波の振幅強度等を示す検出信号が異常発生判別手段１３へ送られる。
【００８４】
異常発生判別手段１３の異常発生判断部１３−１において、センサ制御手段１２からの検出信号にもとづき、遊技機１で異常が発生したか否か（すなわち、遊技機１で不正行為が発生したか否か）が判断される。
判断の結果、異常が発生したときは、異常発生信号が、誤動作判断部１３−２の信号出力回路１３−２１へ送られる。
【００８５】
一方、異常が発生していないときは、異常発生信号は送られない。
なお、異常発生判別手段１３は、検出信号に重畳したノイズ、センサ制御手段１２から送られてきたノイズ、直接検出したノイズ等にもとづいて、異常が発生したものと判断する場合がある。この場合も、異常発生信号が信号出力回路１３−２１へ送られる。
【００８６】
信号出力回路１３−２１において、異常発生判断部１３−１からの異常発生信号が、ノイズ判別回路１３−２４及び出力制御回路１３−２５へ送られる。
異常発生信号を受け取ったノイズ判別回路１３−２４において、記憶回路１３−２３から判別閾時間が取り出される。そして、タイマ回路１３−２２からの現在時刻を用いて、異常発生信号の発生時間と判別閾時間との比較判断が行われる。
【００８７】
比較判断の結果、その発生時間が判別閾時間より長いときは、異常発生信号を送出する旨を示す出力許否信号が出力制御回路１３−２５へ送られる。
一方、その発生時間が判別閾時間より短いときは、異常発生信号を送出しない旨を示す出力許否信号が出力制御回路１３−２５へ送られる。
【００８８】
出力制御回路１３−２５において、ノイズ判別回路１３−２４からの出力許否信号にもとづき、信号出力回路１３−２１からミュート回路１３−２７への異常発生信号の送出が実行又は停止される。
具体的には、出力許否信号が、異常発生信号の発生時間の方が判別閾時間よりも長い旨を示すときは、ミュート回路１３−２７への異常発生信号の送出は実行される。一方、出力許否信号が、異常発生信号の発生時間の方が判別閾時間よりも短い旨を示すときは、ミュート回路１３−２７への異常発生信号の送出は実行されない。
【００８９】
さらに、自動補給処理実行判断回路３４において、自動補給センサ５４からの自動補給検出信号にもとづき、遊技媒体の自動補給が実行されていると判断されると、この自動補給処理実行判断回路１３−２６からミュート回路３５へ、処理検出信号が送られる。
【００９０】
ミュート回路３５において、処理検出信号が受け取られると、出力制御回路１３−２５から信号送信手段１５及び報知制御部１３−３への異常発生信号の送出が停止（ミュート）される。
一方、ミュート回路３５において、処理検出信号が受け取られていないときは、出力制御回路１３−２５から信号送信手段１５及び報知制御部１３−３への異常発生信号の送出が実行される。
【００９１】
異常発生信号を受け取った報知制御部１３−３において、報知手段１４へ動作制御信号が送られて、この報知手段１４の動作制御が実行される。
また、信号送信手段１５において、ミュート回路１３−２７からの異常発生信号が、制御装置６等へ出力され、あるいはホールコンピュータ（図示せず）等へ送信される。
【００９２】
【発明の効果】
以上のように、本発明によれば、内部異常状態検出装置において遊技機の特定部分の移動が検出されると、不正行為が発生したものとして、即座に報知手段が動作するため、ホール従業員は、その不正行為を早期かつ確実に発見することができる。
【図面の簡単な説明】
【図１】本発明の内部異常状態検出装置が設けられた遊技機（スロットマシン）の内部構成を示す斜視図である。
【図２】本発明の内部異常状態検出装置の構成を示すブロック図である。
【図３】本発明の内部異常状態検出装置の他の構成を示すブロック図である。
【図４】本発明の内部異常状態検出装置における超音波送受信機の構成を示すブロック図である。
【図５】本発明の内部異常状態検出装置のさらに他の構成を示すブロック図である。
【図６】本発明の内部異常状態検出装置の別の構成を示すブロック図である。
【図７】本発明の内部異常状態検出装置における異常発生判別手段の構成を示すブロック図である。
【図８】本発明の内部異常状態検出装置における異常発生判別手段の他の構成を示すブロック図である。
【図９】本発明の内部異常状態検出装置における異常発生判別手段のさらに他の構成を示すブロック図である。
【図１０】自動補給処理実行判断回路及びその周辺の構成を示すブロック図である。
【図１１】本発明の内部異常状態検出装置における異常発生判別手段の別の構成を示すブロック図である。
【符号の説明】
１　遊技機
２　ドア
３　筐体
４　開閉機構
５　ホッパ装置
５１　ホッパ
５２　自動補給ゲート
５３　ゲート駆動部
５４　自動補給センサ
６　制御装置
６１　ＣＰＵ
１０　内部異常状態検出装置
１１　移動検出センサ
１１−１　超音波スピーカ部
１１−２　超音波マイク部
１１−３　超音波スピーカマイク
１１−４　発光部
１１−５　受光部
１２　センサ制御手段
１２−１　超音波送受信機
１２−１１　発振回路
１２−１２　変調回路
１２−１３　ドライバ
１２−１４　増幅回路
１２−１５　波形整形回路
１２−１６　カウンタ
１２−２　超音波送受波機
１２−３　光制御部
１３　異常発生判別手段
１３−１　異常発生判断部
１３−２　誤動作判断部
１３−２１　信号出力回路
１３−２２　タイマ回路
１３−２３　記憶回路
１３−２４　ノイズ判別回路
１３−２５　出力制御回路
１３−２６　　自動補給処理実行判断回路
１３−２７　ミュート回路
１３−３　報知制御部
１４　報知手段
１５　信号送信手段
【図１】
2004073456.tif 000003
【図２】
2004073456.tif 000004
【図３】
2004073456.tif 000005
【図４】
2004073456.tif 000006
【図５】
2004073456.tif 000007
【図６】
2004073456.tif 000008
【図７】
2004073456.tif 000009
【図８】
2004073456.tif 000010
【図９】
2004073456.tif 000011
【図１０】
2004073456.tif 000012
【図１１】
2004073456.tif 000013